【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】  印刷媒体に文字列を連続印刷して、整列した場合の配列順位が定められた複数枚のラベルを作成する機能を有する印刷装置であって、
印刷する文字列を記憶する記憶手段と、
ラベルの印刷枚数を設定する印刷枚数設定手段と、
ラベルを貼り付けて整列する対象物における該対象物の整列方向のサイズを入力設定する対象物サイズ設定手段と、
設定印刷枚数の各ラベルを前記対象物に貼り付けて整列した場合に、これらのラベルの整列方向に沿って所定の角度で傾斜し、各ラベルの配列順位が目視により判別可能な傾斜線模様を設定印刷枚数の各ラベルに形成するべく、前記対象物サイズ設定手段によって設定された対象物の整列方向のサイズ、前記印刷枚数設定手段によって設定された印刷枚数及び印刷する文字列の印刷長に基づいて、前記傾斜線模様の傾斜を演算して前記傾斜線模様の印刷データを設定印刷枚数の各ラベルに対応して生成し、前記記憶手段に記憶された文字列の印刷データと合成して設定印刷枚数の各ラベル用の印刷データを生成する印刷データ生成手段と、
前記印刷データ生成手段によって生成された各ラベル用の印刷データを印刷媒体に連続印刷する印刷手段と
を備えることを特徴とする印刷装置。
【請求項２】  前記印刷データ生成手段は、設定印刷枚数のラベル中で配列順位の先頭と最終のラベル用の印刷データに、夫々当該ラベルが配列順位の先頭と最後であることを表すマークの印刷データを合成することを特徴とする請求項１記載の印刷装置。
【請求項３】  更に、前記記憶手段に記憶された文字列に含まれる対象文字を前記印刷手段による設定印刷枚数のラベル印刷の毎に更新するナンバリング手段を備えることを特徴とする請求項１又は２記載の印刷装置。
【請求項４】  更に、前記配列順位が定められた複数枚のラベルに続いて追加作成するラベルの配列順位を設定する追加配列順位設定手段を備え、
前記印刷データ生成手段は、前記配列順位が定められた複数枚のラベルに形成した傾斜線模様に連続する追加の傾斜線模様を前記追加作成するラベルに形成するべく、前記対象物の整列方向のサイズ、追加作成するラベルの印刷枚数及びそのラベルに印刷する文字列の印刷長に基づいて、前記追加の傾斜線模様の傾斜を演算してその傾斜線模様の印刷データを追加作成する各ラベルに対応して生成し、前記印刷する文字列の印刷データと合成して追加作成する各ラベル用の印刷データを生成することを特徴とする請求項１記載の印刷装置。
【請求項５】  印刷媒体に文字列を印刷して、整列した場合の配列順位が定められた複数枚のラベル中の任意の順位位置に挿入するラベルを作成する機能を有する印刷装置であって、
印刷する文字列を記憶する記憶手段と、
印刷すべきラベルを挿入する順位位置を設定する挿入位置設定手段と、
前記複数枚のラベルに前記印刷すべきラベルを挿入して整列した場合に、その整列方向に沿って連続性を有するパターンであって、該パターンによって前記印刷すべきラベルの配列順位が目視により判別可能な整列用パターンの印刷データを、前記挿入位置設定手段により挿入する配列順位が設定された前記印刷すべきラベルに対応して生成し、前記記憶手段に記憶された文字列の印刷データと合成して印刷データを生成する印刷データ生成手段と、
前記印刷データ生成手段によって生成された印刷データを印刷媒体に印刷する印刷手段と
を備えることを特徴とする印刷装置。
【請求項６】  印刷媒体に文字列を連続印刷して、予め決められた数あるいは任意に決められた数より少ない配列順位の定められた複数枚のラベルを作成する機能を有する印刷装置であって、
印刷する文字列を記憶する記憶手段と、
予め決められた数あるいは任意に決められた数より少ない数を指定してラベルの印刷枚数を設定する印刷枚数設定手段と、
前記予め決められた数あるいは任意に決められた数の各ラベルを整列した場合に、これらのラベルの整列方向に沿って連続性を有するパターンであって、該パターンによって各ラベルの配列順位が目視により判別可能な整列用パターンの印刷データを、先頭配列順位から設定印刷枚数分の各配列順位のラベルに対応して生成し、前記記憶手段に記憶された文字列の印刷データと合成して設定印刷枚数の各ラベル用の印刷データを生成する印刷データ生成手段と、
前記印刷データ生成手段によって生成された各ラベル用の印刷データを印刷媒体に連続印刷する印刷手段と
を備えることを特徴とする印刷装置。
【請求項７】  前記整列用パターンは、前記予め決められた数あるいは任意に決められた数の各ラベルを整列した場合に、これらのラベルの整列方向に沿って所定の角度で一方向に傾斜する傾斜線模様で構成されるものであり、
前記印刷データ生成手段は、前記傾斜線模様を形成するための印刷データを、前記設定印刷枚数の各ラベルに対応して生成することを特徴とする請求項６記載の印刷装置。
【請求項８】  更に、前記整列方向に対応するラベルの幅を入力設定するラベル幅設定手段を備え、
前記印刷データ生成手段は、前記ラベル幅設定手段によって設定されたラベルの幅、前記予め決められた数あるいは任意に決められた数及び文字列の印刷長に基づいて、前記傾斜線模様の傾斜を演算する演算手段を備えることを特徴とする請求項７記載の印刷装置。
【請求項９】  前記ラベル幅設定手段は、印刷媒体の幅を検出する検出手段を備え、該検出手段から得られる印刷媒体の幅の情報に基づいてラベルの幅を設定することを特徴とする請求項８記載の印刷装置。
【請求項１０】  更に、ラベルを貼り付けて整列する対象物における該対象物の整列方向のサイズを入力設定する対象物サイズ設定手段を備え、
前記印刷データ生成手段は、前記対象物サイズ設定手段によって設定された対象物の整列方向のサイズ、前記予め決められた数あるいは任意に決められた数及び文字列の印刷長に基づいて、前記傾斜線模様の傾斜を演算する演算手段を備えることを特徴とする請求項７記載の印刷装置。
【請求項１１】  印刷装置と接続するコンピュータに用いられるプログラムであって、
前記コンピュータに、
印刷する文字列をメモリに記憶する機能と、
ラベルの印刷枚数を設定する機能と、
ラベルを貼り付けて整列する対象物における該対象物の整列方向のサイズを設定する機能と、
設定印刷枚数の各ラベルを前記対象物に貼り付けて整列した場合に、これらのラベルの整列方向に沿って所定の角度で傾斜し、各ラベルの配列順位が目視により判別可能な傾斜線模様を設定印刷枚数の各ラベルに形成するべく、設定された対象物の整列方向のサイズ、設定された印刷枚数及び印刷する文字列の印刷長に基づいて、前記傾斜線模様の傾斜を演算して前記傾斜線模様の印刷データを設定印刷枚数の各ラベルに対応して生成し、前記メモリに記憶された文字列の印刷データと合成して設定枚数の各ラベル用の印刷データを生成する機能と、
前記生成された各ラベル用の印刷データを前記印刷装置にセットされた印刷媒体に印刷させるための印刷制御信号を前記印刷装置に送信する機能と
を実現させるためのプログラム。
【請求項１２】  印刷装置と接続するコンピュータに用いられるプログラムであって、
前記コンピュータに、
印刷する文字列をメモリに記憶する機能と、
整列した場合の配列順位が定められた複数枚のラベル中の任意の順位位置に挿入する印刷すべきラベルを挿入する順位位置を設定する機能と、
前記複数枚のラベルに前記印刷すべきラベルを挿入して整列した場合に、その整列方向に沿って連続性を有するパターンであって、該パターンによって前記印刷すべきラベルの配列順位が目視により判別可能な整列用パターンの印刷データを、前記挿入する配列順位が設定された前記印刷すべきラベルに対応して生成し、前記メモリに記憶された文字列の印刷データと合成して印刷データを生成する機能と、
前記生成された印刷データを前記印刷装置にセットされた印刷媒体に印刷させるための印刷制御信号を前記印刷装置に送信する機能と
を実現させるためのプログラム。
【請求項１３】  印刷装置と接続するコンピュータに用いられるプログラムであって、
前記コンピュータに、
印刷する文字列をメモリに記憶する機能と、
予め決められた数あるいは任意に決められた数より少ない数を指定して配列順位の定められたラベルの印刷枚数を設定する機能と、
前記予め決められた数あるいは任意に決められた数の各ラベルを整列した場合に、これらのラベルの整列方向に沿って連続性を有するパターンであって、該パターンによって各ラベルの配列順位が目視により判別可能な整列用パターンの印刷データを、先頭配列順位から設定印刷枚数分の各配列順位のラベルに対応して生成し、前記メモリに記憶された文字列の印刷データと合成して設定印刷枚数の各ラベル用の印刷データを生成する機能と、
前記生成された各ラベル用の印刷データを前記印刷装置にセットされた印刷媒体に印刷させるための印刷制御信号を前記印刷装置に送信する機能と
を実現させるためのプログラム。
【手続補正２】
【補正対象書類名】明細書
【補正対象項目名】００１０
【補正方法】変更
【補正の内容】
【００１０】
【課題を解決するための手段】
請求項１に記載の発明は、印刷媒体に文字列を連続印刷して、整列した場合の配列順位が定められた複数枚のラベルを作成する機能を有する印刷装置であって、印刷する文字列を記憶する記憶手段と、ラベルの印刷枚数を設定する印刷枚数設定手段と、ラベルを貼り付けて整列する対象物における該対象物の整列方向のサイズを入力設定する対象物サイズ設定手段と、設定印刷枚数の各ラベルを前記対象物に貼り付けて整列した場合に、これらのラベルの整列方向に沿って所定の角度で傾斜し、各ラベルの配列順位が目視により判別可能な傾斜線模様を設定印刷枚数の各ラベルに形成するべく、前記対象物サイズ設定手段によって設定された対象物の整列方向のサイズ、前記印刷枚数設定手段によって設定された印刷枚数及び印刷する文字列の印刷長に基づいて、前記傾斜線模様の傾斜を演算して前記傾斜線模様の印刷データを設定印刷枚数の各ラベルに対応して生成し、前記記憶手段に記憶された文字列の印刷データと合成して設定印刷枚数の各ラベル用の印刷データを生成する印刷データ生成手段と、前記印刷データ生成手段によって生成された各ラベル用の印刷データを印刷媒体に連続印刷する印刷手段とを備えることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項１の印刷装置によれば、複数の資料ファイルなどの対象物に貼り付けて使用しそれらの対象物を所定の配列順位で整列させて管理するような複数枚のラベルを作成する場合に、これらのラベルに文字列とともに印刷された各ラベルの整列方向に沿って所定の角度で傾斜する傾斜線模様によってそのラベルが貼着された対象物の配列順位を目視で容易に確認することができ、ラベルが貼着された対象物の管理や整理を容易に行うことができる。また、この場合には、ラベルの幅と対象物の整列方向のサイズが異なっていても、各対象物にラベルが貼着された状態で傾斜線模様により連続性を持たせて視認することができて対象物の整列作業がやりやすい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１９
【補正方法】変更
【補正の内容】
【００１９】
また、前記印刷装置は、更に、前記配列順位が定められた複数枚のラベルに続いて追加作成するラベルの配列順位を設定する追加配列順位設定手段を備え、前記印刷データ生成手段は、前記配列順位が定められた複数枚のラベルに形成した傾斜線模様に連続する追加の傾斜線模様を前記追加作成するラベルに形成するべく、前記対象物の整列方向のサイズ、追加作成するラベルの印刷枚数及びそのラベルに印刷する文字列の印刷長に基づいて、前記追加の傾斜線模様の傾斜を演算してその傾斜線模様の印刷データを追加作成する各ラベルに対応して生成し、前記印刷する文字列の印刷データと合成して追加作成する各ラベル用の印刷データを生成する。
【手続補正１０】
【補正対象書類名】明細書
【補正対象項目名】００２０
【補正方法】削除
【補正の内容】
【手続補正１１】
【補正対象書類名】明細書
【補正対象項目名】００２２
【補正方法】変更
【補正の内容】
【００２２】
また、請求項５に記載の発明は、印刷媒体に文字列を印刷して、整列した場合の配列順位が定められた複数枚のラベル中の任意の順位位置に挿入するラベルを作成する機能を有する印刷装置であって、印刷する文字列を記憶する記憶手段と、印刷すべきラベルを挿入する順位位置を設定する挿入位置設定手段と、前記複数枚のラベルに前記印刷すべきラベルを挿入して整列した場合に、その整列方向に沿って連続性を有するパターンであって、該パターンによって前記印刷すべきラベルの配列順位が目視により判別可能な整列用パターンの印刷データを、前記挿入位置設定手段により挿入する配列順位が設定された前記印刷すべきラベルに対応して生成し、前記記憶手段に記憶された文字列の印刷データと合成して印刷データを生成する印刷データ生成手段と、前記印刷データ生成手段によって生成された印刷データを印刷媒体に印刷する印刷手段とを備えることを特徴とする。
【手続補正１２】
【補正対象書類名】明細書
【補正対象項目名】００２３
【補正方法】変更
【補正の内容】
【００２３】
すなわち、この請求項５の印刷装置は、複数の対象物を整列した場合の配列順位を定めるべく前記複数の各対象物に貼着する複数枚のラベル中の任意の順位位置に挿入するラベルであって、前記複数の対象物中の任意の順位位置に挿入する対象物に貼着するラベルを作成する機能を有する印刷装置であり、その設定した挿入順位位置のラベルに、前記複数枚のラベルと連続性を有しその設定した配列順位が目視により判別可能な整列用パターンを文字列に合成して印刷することができる。
【手続補正１３】
【補正対象書類名】明細書
【補正対象項目名】００２５
【補正方法】変更
【補正の内容】
【００２５】
また、請求項６に記載の発明は、印刷媒体に文字列を連続印刷して、予め決められた数あるいは任意に決められた数より少ない配列順位の定められた複数枚のラベルを作成する機能を有する印刷装置であって、印刷する文字列を記憶する記憶手段と、予め決められた数あるいは任意に決められた数より少ない数を指定してラベルの印刷枚数を設定する印刷枚数設定手段と、前記予め決められた数あるいは任意に決められた数の各ラベルを整列した場合に、これらのラベルの整列方向に沿って連続性を有するパターンであって、該パターンによって各ラベルの配列順位が目視により判別可能な整列用パターンの印刷データを、先頭配列順位から設定印刷枚数分の各配列順位のラベルに対応して生成し、前記記憶手段に記憶された文字列の印刷データと合成して設定印刷枚数の各ラベル用の印刷データを生成する印刷データ生成手段と、前記印刷データ生成手段によって生成された各ラベル用の印刷データを印刷媒体に連続印刷する印刷手段とを備えることを特徴とする。
【手続補正１４】
【補正対象書類名】明細書
【補正対象項目名】００２６
【補正方法】変更
【補正の内容】
【００２６】
すなわち、この請求項６の印刷装置は、予め決められた数あるいは任意に決められた数より少ない配列順位の定められた対象物に貼着するべく複数枚のラベルを作成する機能を有する印刷装置であり、その設定した所定枚数の各ラベルを対象物に貼着して整列した場合に、それらのラベルの整列方向に沿って連続性を有し、各対象物の配列順位が目視により判別可能な整列用パターンを文字列に合成して各ラベルを連続印刷により作成することができる。
【手続補正１５】
【補正対象書類名】明細書
【補正対象項目名】０１７２
【補正方法】削除
【補正の内容】
【手続補正１６】
【補正対象書類名】明細書
【補正対象項目名】０１７３
【補正方法】変更
【補正の内容】
【０１７３】
【発明の効果】
請求項１の印刷装置によれば、複数の資料ファイルなどの対象物に貼り付けて使用しそれらの対象物を所定の配列順位で整列させて管理するような複数枚のラベルを作成する場合に、これらのラベルに文字列とともに印刷された各ラベルの整列方向に沿って所定の角度で傾斜する傾斜線模様によってそのラベルが貼着された対象物の配列順位を目視で容易に確認することができ、ラベルが貼着された対象物の管理や整理を容易に行うことができる。また、この場合には、ラベルの幅と対象物の整列方向のサイズが異なっていても、各対象物にラベルが貼着された状態で傾斜線模様により連続性を持たせて視認することができて対象物の整列作業がやりやすい。
【手続補正１７】
【補正対象書類名】明細書
【補正対象項目名】０１７４
【補正方法】変更
【補正の内容】
【０１７４】
また、本発明の請求項４の印刷装置は、複数の対象物を整列した場合の配列順位を定めるべく前記複数の各対象物に貼着する複数枚のラベルに続く配列順位のラベルであって、前記複数の各対象物に続く配列順位の対象物に貼着するラベルを追加作成する機能を有する印刷装置であり、追加作成のために設定した配列順位のラベルに、前記複数枚のラベルと連続性しその設定した配列順位が目視により判別可能な整列用パターンを文字列に合成して印刷することができる。
【手続補正１８】
【補正対象書類名】明細書
【補正対象項目名】０１７６
【補正方法】変更
【補正の内容】
【０１７６】
また、本発明の請求項５の印刷装置は、複数の対象物を整列した場合の配列順位を定めるべく前記複数の各対象物に貼着する複数枚のラベル中の任意の順位位置に挿入するラベルであって、前記複数の対象物中の任意の順位位置に挿入する対象物に貼着するラベルを作成する機能を有する印刷装置であり、その設定した挿入順位位置のラベルに、前記複数枚のラベルと連続性を有し、その設定した配列順位が目視により判別可能な整列用パターンを文字列に合成して印刷することができる。
【手続補正１９】
【補正対象書類名】明細書
【補正対象項目名】０１７８
【補正方法】変更
【補正の内容】
【０１７８】
また、本発明の請求項６の印刷装置は、予め決められた数あるいは任意に決められた数より少ない配列順位の定められた対象物に貼着するべく複数枚のラベルを作成する機能を有する印刷装置であり、その設定した所定枚数の各ラベルを対象物に貼着して整列した場合に、それらのラベルの整列方向に沿って連続性を有し、各対象物の配列順位が目視により判別可能な整列用パターンを文字列に合成して各ラベルを連続印刷により作成することができる。